(57)【特許請求の範囲】
【請求項１】
旋回可能に支持され、前方側に磁気ヘッドを含む組立体が配置され、後方側にコイルが配置されるキャリッジと、
可撓性を有する帯状の可撓性配線板であって、前記キャリッジの側部に一方の端部が取り付けられ、前記磁気ヘッド及び前記コイルに電気的に接続される可撓性配線板と、
前記キャリッジの側部から後方に延びる前記可撓性配線板を、他方の端部が取り付けられる位置に向かうように案内するガイド部材と、
を備え、
前記キャリッジの側部には、前後に並ぶ２つの張り出し部が設けられ、
前記２つの張り出し部のそれぞれには、平行に対向する張り出し部側平面が設けられ、
前記ガイド部材は、
一対の辺部を含み、Ｕ字状に成形されたＵ字状部であって、前記一対の辺部が互いに近づくように弾性変形した状態で、前記２つの張り出し部の間に挿入され、前記一対の辺部のそれぞれに設けられた辺部側平面が前記２つの張り出し部に設けられた前記張り出し部側平面にそれぞれ平行に当接し、前記２つの張り出し部を押し広げる方向に前記弾性変形の反力を発揮するＵ字状部と、
前記可撓性配線板に後方から当接する、前記可撓性配線板の幅より細いアーム部と、
を含む、
ことを特徴とする磁気ディスク装置。
【請求項２】
前記Ｕ字状部の後方側の辺部の挿入方向の先端部に、前記後方側の張り出し部に引っ掛かる抜け止め部が設けられる、
請求項１に記載の磁気ディスク装置。
【請求項３】
前記Ｕ字状部の後方側の辺部との間で前記後方側の張り出し部を挟む補助辺部が設けられる、
請求項１に記載の磁気ディスク装置。
【請求項４】
前記Ｕ字状部の後方側の辺部と前記補助辺部とを連結し、前記後方側の張り出し部に当接する連結辺部が設けられる、
請求項３に記載の磁気ディスク装置。
【請求項５】
前記補助辺部は、前記Ｕ字状部の後方側の辺部より短い、
請求項３に記載の磁気ディスク装置。
【請求項６】
前記アーム部の旋回軸方向の位置が、前記コイルと同じである、
請求項１に記載の磁気ディスク装置。
【請求項７】
前記コイルが隙間に挿入される、対向して配置される一対のヨークを備え、
前記一対のヨークの隙間に、前記アーム部の少なくとも一部が挿入可能である、
請求項１に記載の磁気ディスク装置。
【請求項８】
前記アーム部の先端部に、前記可撓性配線板の幅方向に広がる幅広部が設けられる、
請求項１に記載の磁気ディスク装置。
【請求項９】
前記アーム部の先端部が、前記後方側の張り出し部の延長上に位置する、
請求項１に記載の磁気ディスク装置。
【請求項１０】
前記前方側の張り出し部と、前記可撓性配線板に実装されたＩＣチップとが、前記可撓性配線板を挟んで対向する、
請求項１に記載の磁気ディスク装置。
【請求項１１】
前記後方側の張り出し部に、前記可撓性配線板が螺旋留めされる、
請求項１に記載の磁気ディスク装置。
【請求項１２】
前記２つの張り出し部の間に、前記Ｕ字状部の内側を通って前記可撓性配線板に取り付けられるピンが設けられる、
請求項１に記載の磁気ディスク装置。
【請求項１３】
前記Ｕ字状部の前方側の辺部の挿入方向の基端部に、前記前方側の張り出し部に当接する、前記挿入方向に傾いたテーパー面が形成される、
請求項１に記載の磁気ディスク装置。
【請求項１４】
旋回可能に支持されるキャリッジの側部に一方の端部が取り付けられる帯状の可撓性配線板を、他方の端部が取り付けられる位置に向かうように案内するガイド部材であって、
一対の辺部を含み、Ｕ字状に成形されたＵ字状部であって、前記一対の辺部が互いに近づくように弾性変形した状態で、前記キャリッジの側部に設けられた前後に並ぶ２つの張り出し部の間に挿入され、前記一対の辺部のそれぞれに設けられた辺部側平面が前記２つの張り出し部のそれぞれに設けられた平行に対向する張り出し部側平面にそれぞれ平行に当接し、前記２つの張り出し部を押し広げる方向に前記弾性変形の反力を発揮するＵ字状部と、
前記可撓性配線板に後方から当接する、前記可撓性配線板の幅より細いアーム部と、
を含む、
ことを特徴とするガイド部材。
【発明の詳細な説明】
【技術分野】
【０００１】
本発明は、磁気ディスク装置およびガイド部材に関し、特には、キャリッジの側部に取り付けられる帯状の可撓性配線板を案内するガイド部材の構成に関する。
【背景技術】
【０００２】
磁気ディスク装置では、ラップトップ型コンピュータ等の小型化に伴って、筐体の更なる薄型化が求められている。
【０００３】
筐体の薄型化を阻害する部材の１つに、キャリッジの側部に取り付けられる帯状の可撓性配線板を保持するバンドがある（特許文献１を参照）。こうしたバンドは、帯状の可撓性配線板を幅方向に挟み込むように取り付けられるため、筐体内の厚さ方向の大半を占めてしまう。
【先行技術文献】
【特許文献】
【０００４】
【特許文献１】特開２００８−１５９０９６号公報
【特許文献２】特開２００８−３０５４５４号公報
【発明の概要】
【発明が解決しようとする課題】
【０００５】
ところで、特許文献２には、上記のようなバンドを用いずに、アーム部を有するガイド部材によって可撓性配線板を支持する技術が開示されている。このガイド部材は、製造効率の向上を目的として、キャリッジに着脱可能に構成されている。ところが、このガイド部材は、装着方向に延びる溝部と、装着方向とは逆方向への抜けを防止する爪部とによってキャリッジに固定される構造であるため、公差によってガタ付きが生じやすい。こうしたガタ付きは、磁気ヘッドの位置決めに影響を及ぼす可能性がある。
【０００６】
本発明は、上記実情に鑑みて為されたものであり、可撓性配線板を支持するガイド部材のガタ付きを抑制することが可能な磁気ディスク装置を提供することを目的とする。
【課題を解決するための手段】
【０００７】
上記課題を解決するため、本発明の磁気ディスク装置は、キャリッジと、可撓性を有する帯状の可撓性配線板と、ガイド部材と、を備える。前記キャリッジは、旋回可能に支持され、前方側に磁気ヘッドを含む組立体が配置され、後方側にコイルが配置される。前記可撓性配線板は、前記キャリッジの側部に一方の端部が取り付けられ、前記磁気ヘッド及び前記コイルに電気的に接続される。前記ガイド部材は、前記キャリッジの側部から後方に延びる前記可撓性配線板を、他方の端部が取り付けられる位置に向かうように案内する。前記キャリッジの側部には、前後に並ぶ２つの張り出し部が設けられる。前記ガイド部材は、一対の辺部を含み、Ｕ字状に成形されたＵ字状部と、前記可撓性配線板に後方から当接する、前記可撓性配線板の幅より細いアーム部と、を含む。前記Ｕ字状部は、前記一対の辺部が互いに近づくように弾性変形した状態で、前記２つの張り出し部の間に挿入され、前記一対の辺部が前記２つの張り出し部にそれぞれ当接する。
【０００８】
また、本発明のガイド部材は、旋回可能に支持されるキャリッジの側部に一方の端部が取り付けられる帯状の可撓性配線板を、他方の端部が取り付けられる位置に向かうように案内する。前記ガイド部材は、一対の辺部を含み、Ｕ字状に成形されたＵ字状部と、前記可撓性配線板に後方から当接する、前記可撓性配線板の幅より細いアーム部と、を含む。前記Ｕ字状部は、前記一対の辺部が互いに近づくように弾性変形した状態で、前記キャリッジの側部に設けられた前後に並ぶ２つの張り出し部の間に挿入され、前記一対の辺部が前記２つの張り出し部にそれぞれ当接する。
【発明の効果】
【０００９】
上記本発明によると、ガイド部材のＵ字状部が、一対の辺部が互いに近づくように弾性変形した状態で２つの張り出し部の間に挿入され、これら一対の辺部が２つの張り出し部にそれぞれ当接するので、ガイド部材のガタ付きを抑制することが可能である。
【図面の簡単な説明】
【００１０】
【図１】本発明の第１実施形態に係る磁気ディスク装置の平面図である。
【図２】本発明の第１実施形態に係るヘッドスタックアッセンブリの斜視図である。
【図３】本発明の第１実施形態に係るガイド部材の斜視図である。
【図４】本発明の第１実施形態に係るガイド部材が取り付けられたヘッドスタックアッセンブリの斜視図である。
【図５】本発明の第１実施形態に係るガイド部材及び可撓性配線板が取り付けられたヘッドスタックアッセンブリの斜視図である。
【図６】図１の要部拡大図である。
【図７】本発明の第１実施形態に係るガイド部材及び可撓性配線板の取り付け順序を表すヘッドスタックアッセンブリの側面図である。
【図８Ａ】本発明の第１実施形態の変形例に係るガイド部材の側面図である。
【図８Ｂ】本発明の第１実施形態の変形例に係るガイド部材が取り付けられたヘッドスタックアッセンブリの側面図である。
【図９】本発明の第２実施形態に係るヘッドスタックアッセンブリの斜視図である。
【図１０】本発明の第２実施形態に係るガイド部材の斜視図である。
【図１１】本発明の第２実施形態に係るガイド部材が取り付けられたヘッドスタックアッセンブリの斜視図である。
【図１２】本発明の第２実施形態に係るガイド部材及び可撓性配線板が取り付けられた上記ヘッドスタックアッセンブリの斜視図である。
【図１３】本発明の第３実施形態に係るガイド部材の斜視図である。
【発明を実施するための形態】
【００１１】
本発明の磁気ディスク装置およびガイド部材の実施形態を、図面を参照しながら説明する。
【００１２】
［第１実施形態］
図１は、磁気ディスク装置１の平面図である。同図では、トップカバーの図示が省略されている。図２は、ヘッドスタックアッセンブリ４の斜視図である。図３は、ガイド部材１０Ａの斜視図である。図４は、ガイド部材１０Ａが取り付けられたヘッドスタックアッセンブリ４の斜視図である。図５は、ガイド部材１０Ａ及び可撓性配線板２１が取り付けられたヘッドスタックアッセンブリ４の斜視図である。図６は、図１の要部拡大図である。図７は、ガイド部材１０Ａ及び可撓性配線板２１の取り付け順序を表すヘッドスタックアッセンブリ４の側面図である。なお、図５及び図６では、説明のため、可撓性配線板２１の一方の端部のみが表されている。
【００１３】
図１に示されるように、磁気ディスク装置１の筐体９内には、磁気ディスク２及びヘッドスタックアッセンブリ４が収納されている。磁気ディスク２は、筐体９の底部に設けられたスピンドルモータ３に取り付けられている。ヘッドスタックアッセンブリ４は、磁気ディスク２の隣で旋回可能に支承されている。また、筐体９内には、ヘッドスタックアッセンブリ４を旋回させるボイスコイルモータ８が設けられている。
【００１４】
図２に示されるように、ヘッドスタックアッセンブリ４は、旋回可能に支持されるキャリッジ５と、キャリッジ５の前方側に配置されるヘッドジンバルアッセンブリ６と、キャリッジ５の後方側に配置されるコイル７と、を有している。ヘッドジンバルアッセンブリ６は、データを読み書きする磁気ヘッド６３と、これを支持するサスペンション６１と、を含んでいる。コイル７は、上記ボイスコイルモータ８の一部となる。
【００１５】
キャリッジ５は、ステンレス等の金属材料からなり、旋回可能に支持される軸支部５２と、軸支部５２から前方に延びる平板状の複数のアーム部５４と、軸支部５２から左右に分かれて後方に延びるコイル支持部５６と、を含んでいる。各アーム部５４の先端部には、ヘッドジンバルアッセンブリ６が取り付けられている。各アーム部５４の右側部には、前後に延びる配線部５４１が配置されている。配線部５４１の前端部は、ヘッドジンバルアッセンブリ６の配線に接続されており、配線部５４１の後端部は、各アーム部５４の基端側に設けられた端子集合部５２５に接続されている。コイル支持部５６の間には、コイル７が取り付けられている。コイル７の内側には、補強のためのスティフナー７３が配置されている。コイル７に繋がる配線７１は、軸支部５２の右側部近傍まで延びている。
【００１６】
キャリッジ５の軸支部５２の右側部には、側面５２７よりも右方に張り出した２つの張り出し部５２１，５２３が前後に並んで設けられている。前方側の張り出し部５２１は、側面５２７の前方に位置している。後方側の張り出し部５２３は、側面５２７に囲まれている。２つの張り出し部５２１，５２３の間には、側面５２７を底面とする溝が形成されている。後方側の張り出し部５２３は概略四角柱状に形成され、上方側の２つの角が面取りされている。また、後方側の張り出し部５２３には、ネジ穴が設けられている。
【００１７】
図３に示されるように、ガイド部材１０Ａは、絶縁性の樹脂材料からなり、上記キャリッジ５の軸支部５２の右側部に取り付けられる取り付け部１１と、取り付け部１１の後端部から折れ曲がって延びるアーム部１２と、アーム部１２の先端部に設けられる幅広部１３と、を有している。
【００１８】
取り付け部１１の前部には、Ｕ字状に成型されたＵ字状部１４が設けられている。Ｕ字状部１４は、前後に並んで上下に延びる一対の辺部１５，１６と、これらの上端を連結する基端部１７とを含んでおり、下端が開放されている。これらの辺部１５，１６は、互いに近づく方向に弾性変形可能とされている。前方側の辺部１５の中途には、前方に張り出した当接面１５ａが形成されており、後方側の辺部１６の中途には、後方に張り出した当接面１６ａが形成されている。また、後方側の辺部１６の下端部には、後方に突出した抜け止め部１６ｂが形成されている。
【００１９】
取り付け部１１の後部には、Ｕ字状部１４の後方に位置し、上下に延びる補助辺部１８と、前後に延びて、Ｕ字状部１４と補助辺部１８を連結する連結辺部１９と、が設けられている。補助辺部１８は、Ｕ字状部１４の辺部１５，１６より短く形成されている。補助辺部１８の下端部には、前方に張り出した当接面１８ａが形成されている。連結辺部１９は、Ｕ字状部１４の基端部１７と連続するように前後に延びている。
【００２０】
アーム部１２は、取り付け部１１の後端部から後方側に延び、途中で折れ曲がって、前方側に延びた形状を有しており、全体として鉤状となっている。また、アーム部１２は、補助辺部１８の右方まで延びており、その先端部には、上下に広がる幅広部１３が設けられている。
【００２１】
図４に示されるように、ガイド部材１０Ａは、キャリッジ５の軸支部５２の右側部に取り付けられる。取り付け部１１のＵ字状部１４は、軸支部５２の右側部に設けられた２つの張り出し部５２１，５２３の間に上方から下方に向けて挿入される。Ｕ字状部１４の各々の辺部１５，１６の先端部には、テーパーが形成されており、これらの辺部１５，１６は、張り出し部５２１，５２３の間に挿入される際に、互いに近づく方向の力を受けて弾性変形する。
【００２２】
そして、辺部１５，１６は、挿入完了後も、張り出し部５２１，５２３にそれぞれ当接する。具体的には、前方側の辺部１５の当接面１５ａ（図３を参照）が前方側の張り出し部５２１の後面に当接し、後方側の辺部１６の当接面１６ａ（図３を参照）が後方側の張り出し部５２３の前面に当接する。ここで、当接面１５ａ，１６ａの間隔は、張り出し部５２１，５２３の間隔よりも、やや大きく設けられていることから、辺部１５，１６は、互いに近づく方向に弾性変形した状態のまま、張り出し部５２１，５２３にそれぞれ当接する。すなわち、辺部１５，１６は、張り出し部５２１，５２３を押し広げる方向に弾性復帰力を発揮しており、張り出し部５２１，５２３は、辺部１５，１６を挟み込む方向に反力を発揮している。このため、キャリッジ５に対するガイド部材１０Ａの取り付けが強固となって、ガタ付きが抑制される。
【００２３】
後方側の辺部１６の下端部に形成された抜け止め部１６ｂは、後方側の張り出し部５２３の下方に位置しており、Ｕ字状部１４に上方に向かう外力が加わったときに、後方側の張り出し部５２３の下面に引っ掛かるようになっている。
【００２４】
補助辺部１８は、後方側の張り出し部５２３の後方に位置しており、補助辺部１８に形成された当接面１８ａ（図３を参照）が、後方側の張り出し部５２３の後面に当接している。補助辺部１８と、Ｕ字状部１４の辺部１６とは、この辺部１６の弾性復帰力を利用して、後方側の張り出し部５２３を挟んでいる。また、補助辺部１８の下方には、コイル７の配線７１が位置している。すなわち、補助辺部１８が短く形成されることで、配線７１が通る空間が確保されている。
【００２５】
連結辺部１９は、後方側の張り出し部５２３の上方に位置しており、連結辺部１９の下面が、後方側の張り出し部５２３の上面に当接している。このように、後方側の張り出し部５２３の前面、後面および上面には、Ｕ字状部１４の辺部１６、補助辺部１８及び連結辺部１９がそれぞれ当接するので、ガイド部材１０Ａが高度に位置決めされる。
【００２６】
アーム部１２は、キャリッジ５のコイル支持部５６と並んで配置されている。アーム部１２は、キャリッジ５のコイル支持部５６と同程度の厚さとされ、軸支部５２の旋回軸と垂直な面内に延びている。アーム部１２は、コイル支持部５６と同程度の上下方向の位置に設けられ、コイル支持部５６に近接して配置されている。すなわち、アーム部１２は、キャリッジ５が旋回したときのコイル支持部５６の軌道に含まれるように位置している。また、幅広部１３は、後方側の張り出し部５２３を張り出し方向に延長した範囲上に位置している。
【００２７】
図５に示されるように、キャリッジ５の軸支部５２の右側部には、ＦＰＣ（Flexible Printed Circuit）からなる帯状の可撓性配線板２１の一方の端部が取り付けられている。可撓性配線板２１は、軸支部５２の後方側の張り出し部５２３（図２を参照）にネジ留めされる。可撓性配線板２１の一方の端部には、前方に延びる細長の端子集合部２７が設けられている。この端子集合部２７は、キャリッジ５の各アーム部５４に設けられた端子集合部５２５の間に挿入され、対応する端子同士が半田で接続される。これにより、可撓性配線板２１に含まれる配線は、磁気ヘッド６３と電気的に接続される。また、可撓性配線板２１に含まれる配線は、軸支部５２の後方側の張り出し部５２３の近傍で、コイル７から延びる配線７１（図２を参照）と接続される。
【００２８】
また、可撓性配線板２１の一方の端部には、ＩＣチップ２５が実装されている。このＩＣチップ２５は、磁気ヘッド６３により読み出された再生信号を増幅するリードアンプと、磁気ヘッド６３により書き込まれる記録信号を生成するライトドライバとを含むヘッドＩＣである。このＩＣチップ２５は、軸支部５２の前方側の張り出し部５２１と、可撓性配線板２１を挟んで対向する。このため、ＩＣチップ２５から生じる熱は、前方側の張り出し部５２１からキャリッジ５全体に吸収される。なお、２つの張り出し部５２１，５２３の間には溝が形成されているため（図２を参照）、ＩＣチップ２５から前方側の張り出し部５２１に吸収された熱は、ネジ穴が形成された後方側の張り出し部５２３に伝わりにくい。ガイド部材１０Ａは、こうした熱伝導を抑制するための溝を利用して、キャリッジ５に固定されている。
【００２９】
ガイド部材１０Ａは、アーム部１２及び幅広部１３によって、キャリッジ５の軸支部５２の右側部から後方に延びる可撓性配線板２１を、他方の端部が前方に向かうように案内している。上記図１及び図６に示されるように、筐体９内には、キャリッジ５のアーム部５４に近い位置に、筐体９外の基板との接続を実現するための接続ユニット２３が設けられており、この接続ユニット２３に、可撓性配線板２１の他方の端部が取り付けられている。ガイド部材１０Ａのアーム部１２及び幅広部１３は、可撓性配線板２１に後方側から当接することによって、他方の端部が接続ユニット２３に向かうように可撓性配線板２１を折れ曲がった状態で支持している。
【００３０】
アーム部１２及び幅広部１３は、可撓性配線板２１の幅より細く形成されており、可撓性配線板２１の幅方向の外方に食み出ないように、可撓性配線板２１に当接しているため、筐体９の薄型化が阻害されない。また、アーム部１２の先端部に設けられた幅広部１３が、アーム部１２よりも可撓性配線板２１の幅方向に広がっていることで、可撓性配線板２１が安定的に支持される。
【００３１】
さらに、図６に示されるように、アーム部１２は、ボイスコイルモータ８の一部である一対のヨーク８１の隙間に、コイル７及びコイル支持部５６と共に挿入可能とされている。具体的には、ヘッドスタックアッセンブリ４が、磁気ヘッド６３が磁気ディスク２外に退避した位置にあるとき（図１を参照）、上下に対向して配置される一対のヨーク８１の隙間に、アーム部１２の一部が挿入される。このようにアーム部１２が一対のヨーク８１の隙間に挿入可能とされることで、キャリッジ５の旋回がアーム部１２によって阻害されない。このため、キャリッジ５及びその周囲の設計の自由度が高められる。
【００３２】
なお、上記図４では、ガイド部材１０Ａが取り付けられたヘッドスタックアッセンブリ４が示されたが、実際の組み立てでは、図７に示されるように、キャリッジ５の軸支部５２の右側部に可撓性配線板２１が取り付けられた後、ガイド部材１０Ａが取り付けられる。ガイド部材１０Ａの幅広部１３は、ネジ穴が形成された後方側の張り出し部５２３の延長上に位置しており、軸支部５２にガイド部材１０Ａが取り付けられた後では、可撓性配線板２１のネジ留めが困難であるため、図７に示される順序で組み立てが行われることが好ましい。
【００３３】
また、キャリッジ５の軸支部５２の右側部に可撓性配線板２１が取り付けられたとき、軸支部５２の２つの張り出し部５２１，５２３の間に形成される溝（図２を参照）が、可撓性配線板２１で覆われるため、この部分には上下に貫通する穴が形成される。ガイド部材１０ＡのＵ字状部１４は、この穴に上方から下方に向けて挿入される。
【００３４】
［第１実施形態の変形例］
第１実施形態の変形例について説明する。図８Ａは、変形例に係るガイド部材１０Ｂの側面図である。図８Ｂは、変形例に係るガイド部材１０Ｂが取り付けられたヘッドスタックアッセンブリ４の側面図である。なお、上記実施形態と重複する構成については、同番号を付すことで詳細な説明を省略する。
【００３５】
本変形例では、ガイド部材１０Ｂに含まれるＵ字状部１４のうち、前方側の辺部１５の上端部に、下方に傾いたテーパー面１５ｂが形成されている。このテーパー面１５ｂは、法線方向が下方かつ前方を向くように傾いている。また、キャリッジ５の軸支部５２のうち、前方側の張り出し部５２１の上端部には、上方に傾いたテーパー面５２１ｂが形成されている。このテーパー面５２１ｂは、法線方向が上方かつ後方を向くように傾いている。そして、Ｕ字状部１４が２つの張り出し部５２１，５２３の間に挿入されるとき、前方側の辺部１５のテーパー面１５ｂと、前方側の張り出し部５２１のテーパー面５２１ｂとが突き当たる。このため、ガイド部材１０Ｂの取り付け部１１に、後方側の張り出し部５２３を支点として、後方側が持ち上げられる方向の外力が働いたとしても、テーパー面１５ｂ，５２１ｂ同士が突き当たっているので回転が防止される。
【００３６】
［第２実施形態］
図９は、ヘッドスタックアッセンブリ４の斜視図である。図１０は、ガイド部材１０Ｂの斜視図である。図１１は、ガイド部材１０Ｂが取り付けられたヘッドスタックアッセンブリ４の斜視図である。図１２は、ガイド部材１０Ｂ及び可撓性配線板２１が取り付けられたヘッドスタックアッセンブリ４の斜視図である。なお、上記実施形態と重複する構成については、同番号を付すことで詳細な説明を省略する。
【００３７】
図９に示されるように、キャリッジ５の軸支部５２の右側部のうち、２つの張り出し部５２１，５２３の間には、溝の底面となる側面５２７から突出するピン５２９が設けられている。
【００３８】
図１０に示されるように、ガイド部材１０Ｃのアーム部１２は、取り付け部１１の基端部１７及び連結辺部１９と連続するように、上部に設けられている。このため、アーム部１２の上下方向の位置は、キャリッジ５のコイル支持部５６とは異なる。また、幅広部１３は、アーム部１２の先端部から下方に延びている。
【００３９】
図１１に示されるように、ガイド部材１０ＣのＵ字状部１４が、軸支部５２の２つの張り出し部５２１，５２３の間に挿入されると、これらの間に設けられたピン５２９は、Ｕ字状部１４の辺部１５，１６の間に挿入される。
【００４０】
図１２に示されるように、ピン５２９は、可撓性配線板２１に形成された貫通穴を通って反対側に突出しており、突出した部分が可撓性配線板２１に半田付けされる。
【００４１】
以上、本発明の実施形態について説明したが、本発明は上記実施形態に限定されるものではなく、種々の変形実施が当業者にとって可能であるのはもちろんである。
【００４２】
例えば、図１３に示される第３実施形態に係るガイド部材１０Ｄのように、Ｕ字状部１４の辺部１５，１６の下端が基端部１７によって連結され、Ｕ字状部１４の上方側が開放されてもよい。こうしたガイド部材１０Ｄは、上記図２に示されるキャリッジ５の軸支部５２に取り付けられる。
【符号の説明】
【００４３】
１  磁気ディスク装置、２  磁気ディスク、３  スピンドルモータ、４  ヘッドスタックアッセンブリ、５  キャリッジ、６  ヘッドジンバルアッセンブリ、７  コイル、８  ボイスコイルモータ、９  筐体、１０Ａ〜１０Ｄ  ガイド部材、１１  取り付け部、１２  アーム部、１３  幅広部、１４  Ｕ字状部、１５  辺部、１５ａ  当接面、１５ｂ  テーパー面、１６  辺部、１６ａ  当接面、１６ｂ  抜け止め部、１７  基端部、１８  補助辺部、１８ａ  当接面、１９  連結辺部、２１  可撓性配線板、２３  接続ユニット、２５  ＩＣチップ、２７  端子集合部、５２  軸支部、５２１  張り出し部、５２１ｂ  テーパー面、５２３  張り出し部、５２５  端子集合部、５２７  側面、５２９  ピン、５４  アーム部、５４１  配線部、５６  コイル支持部、６１  サスペンション、６３  磁気ヘッド、７１  配線、７３  スティフナー、８１  ヨーク、９２  ランプ部。
【図１】
0005448772.tif 000002
【図２】
0005448772.tif 000003
【図３】
0005448772.tif 000004
【図４】
0005448772.tif 000005
【図５】
0005448772.tif 000006
【図６】
0005448772.tif 000007
【図７】
0005448772.tif 000008
【図８Ａ】
0005448772.tif 000009
【図８Ｂ】
0005448772.tif 000010
【図９】
0005448772.tif 000011
【図１０】
0005448772.tif 000012
【図１１】
0005448772.tif 000013
【図１２】
0005448772.tif 000014
【図１３】
0005448772.tif 000015